【手続補正書】
【提出日】平成20年8月25日(2008.8.25)
【手続補正１】
【補正対象書類名】特許請求の範囲
【補正対象項目名】全文
【補正方法】変更
【補正の内容】
【特許請求の範囲】
【請求項１】
被写体を撮像するイメージングシステムであって、
前記被写体を固定した状態で支えるように構成された支持部と、
電離放射線を可視光に変換するように構成された蛍光スクリーンと、
前記固定された被写体を第１撮像モードで撮像し、第１画像を捉えるための第１撮像手段と、
前記第１撮像モードと異なる第２撮像モードで前記固定された被写体を撮像し、第２画像を捉えるための第２撮像手段と、
を備え、
前記第１撮像モード及び前記第２撮像モードは、明視野モード、蛍光モード、発光モード、ｘ線モード、及び放射性同位体モード、のグループから選択されることを特徴とするイメージングシステム。
【請求項２】
被写体を撮像するイメージングシステムであって、
前記被写体を固定した状態で支えるように構成された支持部と、
前記固定された被写体を第１撮像モードで撮像し、第１画像を捉えるための第１手段であって、前記第１撮像モードは、ｘ線イメージングモード及び同位体イメージングモードのグループから選択される、第１手段と、
前記固定された被写体を第２撮像モードで撮像し、第２画像を捉えるための第２手段であって、前記第２撮像モードは、明視野イメージングモード及び暗視野イメージングモードのグループから選択される、第２手段と、
前記第１画像を捉える際に前記支持部に隣接して配置される蛍光体プレートと、
前記第２画像を捉える前に、前記固定された被写体を動かすことなく、前記支持部に隣接した位置から前記蛍光体プレートを取り除く手段と、
を備えることを特徴とするイメージングシステム。
【請求項３】
被写体を撮像する方法であって、
前記被写体を固定した状態で支えるように構成された支持部を設けるステップと、
前記固定された被写体に支障をきたすことなく前記支持部に対して移動可能な蛍光体プレートであって、前記蛍光体プレートが前記支持部と光学的に見当合わせされた位置である第１位置と、前記蛍光体プレートが前記支持部と光学的に見当合わせされていない位置である第２位置と、の間を移動可能な蛍光体プレートを設けるステップと、
前記蛍光体プレートが前記第１位置に配置された時に、前記固定された被写体のｘ線画像又は同位体画像を捉えるステップと、
前記蛍光体プレートが前記第２位置に配置された時に、前記固定された被写体の暗視野画像又は明視野画像を捉えるステップと、
を備えることを特徴とする方法。
【手続補正２】
【補正対象書類名】明細書
【補正対象項目名】００６４
【補正方法】変更
【補正の内容】
【００６４】
本発明の利点は、小動物、臓器、及び細胞組織中の薬剤信号（agent signals）の分子イメージングの解剖的な位置決めを実現することと、１つのシステムを用いて、光学分子画像及び放射性同位体画像による複数の解剖的ｘ線画像を正確に共に見当合わせすることと、低速度分子イメージングをｘ線イメージングと組み合わせて用いることを通じて、薬剤の生体内分布の画像のよりよい理解を促進することと、被写体／試料を動かすことなく、多重波長蛍光、発光、放射性同位体、及びｘ線イメージングのモダリティの間の単純な切り替えを可能にすることと、を含む。なお、以下に、付記として本発明の構成の例を示す。
（付記１）
被写体を撮像するイメージングシステムであって、
前記被写体を固定した状態で支えるように構成された支持部と、
電離放射線を可視光に変換するように構成された蛍光スクリーンと、
前記固定された被写体を第１撮像モードで撮像し、第１画像を捉えるための第１撮像手段と、
前記第１撮像モードと異なる第２撮像モードで前記固定された被写体を撮像し、第２画像を捉えるための第２撮像手段と、
を備え、
前記第１撮像モード及び前記第２撮像モードは、明視野モード、蛍光モード、発光モード、ｘ線モード、及び放射性同位体モード、のグループから選択されることを特徴とするイメージングシステム。
（付記２）
付記１に記載のイメージングシステムにおいて、さらに、
前記第１画像及び前記第２画像を含む第３画像を生成する手段を備えることを特徴とするイメージングシステム。
（付記３）
付記１に記載のイメージングシステムにおいて、
前記蛍光スクリーンは、
保護層と、
蛍光体層と、
光学層と、
透明支持層と、
を備えることを特徴とするイメージングシステム。
（付記４）
付記３に記載のイメージングシステムにおいて、
前記保護層は反射性であることを特徴とするイメージングシステム。
（付記５）
付記１に記載のイメージングシステムにおいて、
前記複数の光学部品は、異なる撮像モードにおいて共有される共通の焦点面の配置を可能にすることを特徴とするイメージングシステム。
（付記６）
被写体を撮像するイメージングシステムであって、
前記被写体を固定した状態で支えるように構成された支持部と、
前記固定された被写体を第１撮像モードで撮像し、第１画像を捉えるための第１手段であって、前記第１撮像モードは、ｘ線イメージングモード及び同位体イメージングモードのグループから選択される、第１手段と、
前記固定された被写体を第２撮像モードで撮像し、第２画像を捉えるための第２手段であって、前記第２撮像モードは、明視野イメージングモード及び暗視野イメージングモードのグループから選択される、第２手段と、
前記第１画像を捉える際に前記支持部に隣接して配置される蛍光体プレートと、
前記第２画像を捉える前に、前記固定された被写体を動かすことなく、前記支持部に隣接した位置から前記蛍光体プレートを取り除く手段と、
を備えることを特徴とするイメージングシステム。
（付記７）
付記６に記載のイメージングシステムにおいて、
前記第１画像が前記ｘ線イメージングモードである場合、前記第１手段は、ｘ線源であって前記固定された被写体に向かう軌道に沿ってｘ線放射線を伝達し、前記固定された被写体のｘ線画像を捉えるように構成されたｘ線源を備えることを特徴とするイメージングシステム。
（付記８）
付記６に記載のイメージングシステムにおいて、さらに、
前記第１画像及び前記第２画像を含む第３画像を生成する手段を備えることを特徴とするイメージングシステム。
（付記９）
付記８に記載のイメージングシステムにおいて、さらに、
前記第３画像を表示し、伝送し、処理し、又は印刷する手段を備えることを特徴とするイメージングシステム。
（付記１０）
付記６に記載のイメージングシステムにおいて、
前記蛍光体プレートは、
保護層と、
蛍光体層と、
光学層と、
透明支持層と、
を備えることを特徴とするイメージングシステム。
（付記１１）
付記１０に記載のイメージングシステムにおいて、
前記保護層は反射性であることを特徴とするイメージングシステム。
（付記１２）
付記６に記載のイメージングシステムにおいて、
前記複数の光学部品は、異なる撮像モードにおいて共有される共通の焦点面の配置を可能にすることを特徴とするイメージングシステム。
（付記１３）
被写体を撮像する方法であって、
前記被写体を固定した状態で支えるように構成された支持部を設けるステップと、
第１画像を捉える際に前記支持部に隣接して配置されるように構成された蛍光体プレートを設けるステップであって、前記蛍光体プレートは前記支持部に隣接して配置され、第１撮像モードで前記固定された被写体を撮像することで第１画像を捉え、前記第１撮像モードはｘ線モード及び同位体イメージングモードである、ステップと、
前記固定された被写体を動かすことなく、前記支持部に隣接した位置から前記蛍光体プレートを取り除く手段を設けるステップであって、前記蛍光体プレートは前記支持部に隣接した位置から取り除かれ、第２撮像モードで前記固定された被写体を撮像することで第２画像を捉え、前記第２撮像モードは明視野モード及び暗視野モードのグループから選択される、ステップと、
を備えることを特徴とする方法。
（付記１４）
付記１３に記載の方法であって、さらに、
前記第１画像及び前記第２画像を含む第３画像を生成するステップを備えることを特徴とする方法。
（付記１５）
付記１４に記載の方法であって、さらに、
前記第３画像を表示し、伝送し、処理し、又は印刷するステップを備えることを特徴とする方法。
（付記１６）
被写体を撮像する方法であって、
前記被写体を固定した状態で支えるように構成された支持部を設けるステップと、
前記固定された被写体に支障をきたすことなく前記支持部に対して移動可能な蛍光体プレートであって、前記蛍光体プレートが前記支持部と光学的に見当合わせされた位置である第１位置と、前記蛍光体プレートが前記支持部と光学的に見当合わせされていない位置である第２位置と、の間を移動可能な蛍光体プレートを設けるステップと、
前記蛍光体プレートが前記第１位置に配置された時に、前記固定された被写体のｘ線画像又は同位体画像を捉えるステップと、
前記蛍光体プレートが前記第２位置に配置された時に、前記固定された被写体の暗視野画像又は明視野画像を捉えるステップと、
を備えることを特徴とする方法。
（付記１７）
付記１６に記載の方法において、さらに、
前記第１画像及び前記第２画像を含む第３画像を生成するステップと、
前記第３画像を表示し、伝送し、処理し、又は印刷するステップと、
を備えることを特徴とする方法。